(57)【要約】【課題】電気かみそりがクリーニング装置に装填してある状態では、昇降ロック構造をロック解除不能として、錯誤やいたずらなどによる昇降ロック構造の誤作動を確実に防止できるクリーニング装置を提供することにある。【解決手段】ベース１５と、ベース１５に対して昇降変位するハウジング１６とを備えている。ハウジング１６が上方の退避位置に変位した状態でのみ、ベース１５上に設けたタンク１９を出し入れできる。ハウジング１６には、電気かみそりを洗浄姿勢に保持する装填部２１が設けてある。ハウジング１６を、上昇不能にロック保持する昇降ロック構造のロック解除部１０３を装填部２１に配置し、電気かみそりを装填部２１に装着した状態において、ロック解除部１０３の外面を電気かみそりで覆って、ロック解除部１０３が操作されるのを防止する。【選択図】図１
2008301956.tif 000002
【特許請求の範囲】
【請求項１】
ベース（１５）と、ベース（１５）に対して昇降変位するハウジング（１６）と、ハウジング（１６）を上昇不能にロック保持する昇降ロック構造とを備えており、ハウジング（１６）が上方の退避位置に変位した状態で、ベース（１５）上に設けたタンク（１９）を出し入れできるクリーニング装置であって、
ハウジング（１６）には、電気かみそりを洗浄姿勢に保持する装填部（２１）が設けられており、
昇降ロック構造は、同構造をロック解除操作するロック解除部（１０３）を含んで構成されており、
電気かみそりを装填部（２１）に装着した状態において、ロック解除部（１０３）によるロック解除操作が規制されるように構成してあるクリーニング装置。
【請求項２】
ロック解除部（１０３）が装填部（２１）に臨んで配置されており、電気かみそりを装填部（２１）に装着した状態において、ロック解除部（１０３）の外面を電気かみそりで覆ってロック解除操作を規制している請求項１記載のクリーニング装置。
【請求項３】
昇降ロック構造が、昇降ロック構造をロック解除操作するロック解除部（１０３）と、ロック解除部（１０３）のロック解除動作を規制する規制体（１３０）を含んで構成されており、
規制体（１３０）は、その一部が装填部（２１）に突出する規制解除姿勢と、その一部が装填部（２１）から退避する規制姿勢とに変位可能に設けられて、ばね（１３１）で規制解除する向きに移動付勢されており、
電気かみそりを装填部（２１）に装着した状態において、規制体（１３０）が電気かみそりで規制姿勢に切り換え操作されて、ロック解除部（１０３）によるロック解除動作を規制できる請求項１記載のクリーニング装置。
【請求項４】
ハウジング（１６）が、下方の洗浄位置と、上方の退避位置との間を昇降変位できるよう昇降機構で支持されて、ベース（１５）とハウジング（１６）との間に配置した昇降ロック構造で、下方の洗浄位置においてロック保持されており、
ハウジング（１６）は、ベース（１５）に設けたガイド体（７３）で昇降変位可能に案内支持されて、昇降機構のリフトばね（７２）で退避位置へ向かって移動付勢されており、
昇降ロック構造は、ベース（１５）に設けたロック係合爪（８８）と、ロック係合爪（８８）と係脱するロック枠（８９）と、ロック枠（８９）をロック係合爪（８８）と係合する向きに係合付勢するロックばね（９０）と、ロック枠（８９）をロックばね（９０）の付勢力に抗してロック解除操作するロック解除具（９１）を含み、
ロック解除具（９１）にロック解除部（１０３）が設けてある請求項２または３記載のクリーニング装置。
【請求項５】
昇降機構が、Ｘ字状に組まれた昇降リンク（７１）で構成される左右一対のリンク対（７０）と、ベース（１５）またはハウジングベース（１６Ｂ）とリンク対（７０）との間に配置されて、前後方向に長く折り畳まれた状態のリンク対（７０）を上下方向に長いリフト姿勢に変位操作するリフトばね（７２）とを備えており、
各昇降リンク（７１）の前端および後端のいずれか一方が、ベース（１５）およびハウジングベース（１６Ｂ）で相対揺動可能に軸支され、他方がベース（１５）およびハウジングベース（１６Ｂ）で往復スライド自在に案内支持してある請求項２、３または４記載のクリーニング装置。
【請求項６】
ハウジング（１６）が、ハウジングベース（１６Ｂ）と、ハウジングベース（１６Ｂ）の外面を覆うハウジング本体（１６Ａ）とで構成されており、
ハウジング本体（１６Ａ）に、装填部（２１）に装着した電気かみそりのかみそりヘッド（２）を受け入れるヘッドシンク（２２）が設けられており、
ハウジングベース（１６Ｂ）に、タンク（１９）内のクリーニング液をかみそりヘッド（２）へ圧送するポンプ（３６）と、ロック枠（８９）と、ロックばね（９０）と、ロック解除具（９１）とが組み付けられており、
ハウジングベース（１６Ｂ）がロック枠（８９）を介してロック係合爪（８８）でロック保持された状態において、ポンプ（３６）の吸込口（４０）がタンク（１９）内のクリーニング液に浸漬され、ヘッドシンク（２２）のドレン管（４３）がタンク（１９）の内部空間と連通している請求項２から５のいずれかに記載のクリーニング装置。
【発明の詳細な説明】
【技術分野】
【０００１】
本発明は、クリーニング液を送給しながらかみそりヘッドの内部に付着する毛屑や皮脂などを洗浄する電動式のかみそりのクリーニング装置に関する。クリーニング装置は、クリーニング液を貯留するタンクと、タンク内のクリーニング液をかみそりヘッドへ強制的に送給するためのポンプを備えている。電動式のかみそりとは、電気かみそりと、バイブレーターを備えている電動式の安全かみそりなどを含む。
【背景技術】
【０００２】
この種のクリーニング装置は、例えば特許文献１に公知である。そこではタンク内のクリーニング液をポンプで洗浄槽へ送給し、洗浄槽内のクリーニング液にかみそりヘッドを浸漬した状態で洗浄を行う。このように、クリーニング液を循環送給しながらかみそりヘッドの洗浄を行うクリーニング装置において、ベース上面にタンクを載置し、ポンプおよび洗浄槽が組み付けられるシャーシを、ベースに対して昇降変位可能としたクリーニング装置が先に提案されている（特許文献２）。
【０００３】
そこでは、シャーシプレートと、シャーシプレートの外面を覆うハウジングなどでシャーシを構成し、ベースに立設した３個のガイドポストでシャーシプレートを昇降可能に案内支持し、渦巻きばねからなるリフトばねでシャーシ全体を上向きに付勢している。リフトばねの付勢力に抗して、シャーシ全体を下方の洗浄位置でロック保持するために、シャーシロック構造を備えており、そのロック解除ボタンがハウジングの外面に露出させてある。ポンプはシャーシプレートに組み込んである。ロック解除ボタンを押し込み操作すると、シャーシロック構造がロック解除状態に切り換わって、シャーシ全体が上方の退避位置へ跳ね上る。この状態で、ベース上のタンクを取り出して、タンクやフィルターなどの洗浄を行い、あるいはクリーニング液の交換を行うことができる。
【０００４】
【特許文献１】特開平８−１１７０１６号公報（段落番号００２０、図１）
【特許文献２】特表２００５−５１８９１３号公報（段落番号００１４、図２）
【発明の開示】
【発明が解決しようとする課題】
【０００５】
多くの場合、この種のクリーニング装置は、洗浄から乾燥にいたる一連の過程を自動運転できるようになっており、洗浄開始から乾燥終了まで放置しておくことができる。しかし、先に説明したように、昇降可能なシャーシを備えたクリーニング装置において、ハウジングの外面にロック解除ボタンが設けてあると、錯誤やいたずらなどによって、ロック解除ボタンがロック解除操作されるおそれがあり、そうした場合に不測の事態を招く。
【０００６】
例えば洗浄過程の途中でロック解除ボタンがロック解除操作されると、洗浄槽に汲み上げられたクリーニング液を、ベース側のタンクへ適正に戻すことが困難となり、タンク、ベースおよびこれらの周辺が、毛屑や皮脂を含む洗浄後のクリーニング液で汚損されてしまう。上記従来のクリーニング装置は、電気かみそりを斜めに傾斜した倒立姿勢で、シャーシの装填部に装填するので、シャーシの左右幅が大きく、クリーニング装置の設置や収納のために大きなスペースが必要となる不利もある。
【０００７】
本発明の目的は、電気かみそりがクリーニング装置に装填してある状態では、昇降ロック構造がロック解除操作されるのを阻止できるようにして、錯誤やいたずらなどによる昇降ロック構造の誤作動を確実に防止できるクリーニング装置を提供することにある。本発明の目的は、より簡単な構造で昇降ロック構造の誤作動を防止でき、したがって、クリーニング装置の全体構造が複雑になるのを避けながら、信頼性を向上できるクリーニング装置を提供することにある。本発明の目的は、左右幅寸法を小さくしてその分だけクリーニング装置をコンパクト化して、その設置や収納のためのスペースを小さくすることにある。
【課題を解決するための手段】
【０００８】
本発明のクリーニング装置は、ベース１５と、ベース１５に対して昇降変位するハウジング１６と、ハウジング１６を上昇不能にロック保持する昇降ロック構造とを備えており、ハウジング１６が上方の退避位置に変位した状態で、ベース１５上に設けたタンク１９を出し入れできる。ハウジング１６には、電気かみそりを洗浄姿勢に保持する装填部２１が設けてある。昇降ロック構造は、同構造をロック解除操作するロック解除部１０３を含んで構成されている。以て、電気かみそりを装填部２１に装着した状態において、ロック解除部１０３によるロック解除操作が規制されるように構成してある。
【０００９】
ロック解除部１０３は装填部２１に臨んで配置し、電気かみそりを装填部２１に装着した状態において、ロック解除部１０３の外面を電気かみそりで覆ってロック解除操作を規制する。
【００１０】
昇降ロック構造は、昇降ロック構造をロック解除操作するロック解除部１０３と、ロック解除部１０３のロック解除動作を規制する規制体１３０を含んで構成する。規制体１３０は、その一部が装填部２１に突出する規制解除姿勢と、その一部が装填部２１から退避する規制姿勢とに変位可能に設けられて、ばね１３１で規制解除する向きに移動付勢する。以て、電気かみそりを装填部２１に装着した状態において、規制体１３０が電気かみそりで規制姿勢に切り換え操作されて、ロック解除部１０３によるロック解除動作を規制できるようにする。
【００１１】
ハウジング１６は、下方の洗浄位置と、上方の退避位置との間を昇降変位できるよう昇降機構で支持されて、ベース１５とハウジング１６との間に配置した昇降ロック構造で、下方の洗浄位置においてロック保持される。ハウジング１６は、ベース１５に設けたガイド体７３で昇降変位可能に案内支持して、昇降機構のリフトばね７２で退避位置へ向かって移動付勢する。昇降ロック構造は、ベース１５に設けたロック係合爪８８と、ロック係合爪８８と係脱するロック枠８９と、ロック枠８９をロック係合爪８８と係合する向きに係合付勢するロックばね９０と、ロック枠８９をロックばね９０の付勢力に抗してロック解除操作するロック解除具９１を含む。ロック解除具９１に、ロック解除部１０３を設ける。
【００１２】
昇降機構は、Ｘ字状に組まれた昇降リンク７１で構成される左右一対のリンク対７０と、ベース１５またはハウジングベース１６Ｂとリンク対７０との間に配置されて、前後方向に長く折り畳まれた状態のリンク対７０を上下方向に長いリフト姿勢に変位操作するリフトばね７２とを備えている。各昇降リンク７１の前端および後端のいずれか一方は、ベース１５およびハウジングベース１６Ｂで相対揺動可能に軸支する。他方はベース１５およびハウジングベース１６Ｂで往復スライド自在に案内支持する。
【００１３】
ハウジング１６は、ハウジングベース１６Ｂと、ハウジングベース１６Ｂの外面を覆うハウジング本体１６Ａとで構成する。ハウジング本体１６Ａに、装填部２１に装着した電気かみそりのかみそりヘッド２を受け入れるヘッドシンク２２を設ける。ハウジングベース１６Ｂに、タンク１９内のクリーニング液をかみそりヘッド２へ圧送するポンプ３６と、ロック枠８９と、ロックばね９０と、ロック解除具９１とを組み付ける。以て、ハウジングベース１６Ｂがロック枠８９を介してロック係合爪８８でロック保持された状態において、ポンプ３６の吸込口４０がタンク１９内のクリーニング液に浸漬され、ヘッドシンク２２のドレン管４３がタンク１９の内部空間と連通できるようにする。
【発明の効果】
【００１４】
本発明においては、タンク１９が出し入れされるベース１５と、ベース１５に対して昇降変位するハウジング１６と、ハウジング１６を上昇不能にロック保持する昇降ロック構造などでクリーニング装置を構成し、ハウジング１６が上方の退避位置に変位した状態で、ベース１５上に設けたタンク１９を出し入れできるようにした。そのうえで、電気かみそりをハウジング１６の装填部２１に装着した状態において、昇降ロック構造のロック解除部１０３がロック解除操作されるのを規制できるようにするので、電気かみそりの洗浄時に、昇降ロック構造がいたずらや使用者の錯誤等によってロック状態からロック解除状態に切り換えられて、ハウジング１６が退避位置へ上方移動するのを確実に防止できる。したがって、タンク１８やベース１５などのクリーニング装置の下部構造が、毛屑や皮脂を含む洗浄後のクリーニング液で汚損されるのを解消できる。
【００１５】
ロック解除部１０３を装填部２１に臨んで配置し、電気かみそりを装填部２１に装着した状態において、ロック解除部１０３の外面を電気かみそりで覆ってロック解除操作を規制するクリーニング装置によれば、電気かみそりを装填部２１から取り外さない限りはロック解除部１０３を操作できないので、電気かみそりの洗浄時に、昇降ロック構造がロック解除操作されるのを確実に防止して、上記と同様にクリーニング装置の下部構造が、毛屑や皮脂を含む洗浄後のクリーニング液で汚損されるのを解消できる。また、装填部２１に装填した電気かみそりでロック解除部１０３の外面を覆って、ロック解除部１０３がロック解除操作されるのを規制するので、クリーニング装置に適合しない電気かみそりが装填部２１に装填される場合であっても、昇降ロック構造がロック解除操作されるのを確実に防止できる。さらに、ロック解除操作を無効化するための専用の手段を別途設ける場合に比べて、より簡単な構造で昇降ロック構造の誤作動を防止でき、したがって全体構造が複雑になるのを避けながらクリーニング装置の信頼性を向上できる。
【００１６】
ロック解除部１０３と、ロック解除部１０３のロック解除動作を規制する規制体１３０を含む昇降ロック構造において、規制解除姿勢と規制姿勢とに変位できる規制体１３０をばね１３１で規制解除する向きに移動付勢し、電気かみそりを装填部２１に装着した状態において、規制体１３０が電気かみそりで規制姿勢に切り換え操作されて、ロック解除部１０３によるロック解除動作を規制するクリーニング装置によれば、電気かみそりが装填部２１に装填してある限りは、ロック解除部１０３のロック解除動作を規制体１３０で規制して、昇降ロック構造がロック解除操作されるのを確実に防止でき、上記と同様にクリーニング装置の下部構造が毛屑や皮脂を含む洗浄後のクリーニング液で汚損されるのを解消できる。また、装填部２１に装填される電気かみそりで規制体１３０を規制姿勢に切り換えて、昇降ロック構造がロック解除操作されるのを阻止するので、昇降ロック構造の構造や機能などを理解していない使用者であっても、単に電気かみそりを装填部２１に装填するだけで、昇降ロック構造を確実にロック保持してクリーニング装置を適正に使用できる。
【００１７】
下方の洗浄位置と、上方の退避位置との間を昇降変位するハウジング１６を、下方の洗浄位置において昇降ロック構造でロック保持するクリーニング装置において、ベース１５に設けたロック係合爪８８と、ロック係合爪８８と係脱するロック枠８９と、ロック枠８９をロック係合爪８８と係合する向きに係合付勢するロックばね９０と、ロック枠８９をロックばね９０の付勢力に抗してロック解除操作するロック解除具９１などで昇降ロック構造を構成し、下方の洗浄位置においてハウジング１６をロック保持するクリーニング装置によれば、ロック解除具９１に設けたロック解除部１０３をロック解除操作することにより、ロック係合爪８８とロック枠８９との係合状態を解除して、ハウジング１６をガイド体７３に沿ってロックばね９０の付勢力で上昇移動させ、ハウジング１６とベース１５との間に所定空間を確保できるので、タンク１９の出し入れを容易に行える。このとき、ハウジング１６をベース１５に設けたガイド体７３で昇降変位可能に案内支持するので、洗浄位置と退避位置との間を昇降する際に、ハウジング１６が前後あるいは左右へ揺れ動くのを阻止でき、さらにハウジング１６を洗浄位置へ戻す際にロック係合爪８８とロック枠８９とを確実に再係合させてロック保持できる。
【００１８】
Ｘ字状に組んだ昇降リンク７１からなる左右一対のリンク対７０を昇降要素とし、これらリンク対７０をリフトばね７２で閉じ付勢する昇降機構（平行リンク機構）によれば、リンク対７０を、前後方向に長く折り畳まれた姿勢と、上下方向に長いリフト姿勢とに変位できる空間をハウジング１６内に確保すればよく、従来のクリーニング装置に比べてハウジング１６の左右幅寸法を小さくできる。したがって、従来装置より左右幅寸法が小さい分だけクリーニング装置をコンパクト化して、その設置や収納のためのスペースを小さくできる。また、各昇降リンク７１の例えば後端をベース１５およびハウジングベース１６Ｂで相対揺動可能に軸支し、例えば前端をベース１５およびハウジングベース１６Ｂで往復スライド自在に案内支持すると、ハウジング１６を洗浄時の姿勢を維持した状態のままで昇降変位（平行移動）できるので、退避姿勢においてクリーニング装置が占めるスペースをも小さくして省スペースに寄与できる。
【００１９】
ハウジングベース１６Ｂと、その外面を覆うハウジング本体１６Ａとでハウジング１６を構成し、装填部２１に装着した電気かみそりのかみそりヘッド２を受け入れるヘッドシンク２２をハウジング本体１６Ａに設け、ハウジングベース１６Ｂに、クリーニング液を圧送するポンプ３６と、ロック枠８９と、ロックばね９０と、ロック解除具９１とを組み付けて、ハウジングベース１６Ｂがロック枠８９を介してロック係合爪８８でロック保持された状態（洗浄状態）において、ポンプ３６の吸込口４０がタンク１９内のクリーニング液に浸漬され、ヘッドシンク２２のドレン管４３がタンク１９の内部空間と連通できるようにしたクリーニング装置によれば、洗浄時のクリーニング液の吸い込みと、洗浄後のクリーニング液の回収とをいずれもタンク１９内で行えるので、液漏れの余地がなく、したがって液漏れを嫌うような場所であっても、支障なく電気かみそりの洗浄を行える。
【発明を実施するための最良の形態】
【００２０】
（実施例）  図１ないし図１２は本発明に係るクリーニング装置の実施例を示す。図２において、洗浄対象の電気かみそりは、グリップを兼ねる本体部１と、本体部１の上部に設けられるかみそりヘッド２とを備えている。かみそりヘッド２には、網刃からなる断面アーチ形の一対の外刃３と、各外刃３内面に摺接するロータリー式の内刃４・４と、センター刃５とが設けられており、本体部１の内部に設けたモーター６の回転動力で、内刃４・４を回転駆動でき、同時にセンター刃５の内刃を往復駆動できる。
【００２１】
本体部１には２次電池８が収容され、その前面にメインスイッチを切り換えるための押しボタン型のスイッチボタン９と、運転モードを表示するためのＬＥＤ表示１０などが設けてある。本体部１の下端には、給電用のプラグ（コネクター）１１が設けてある。かみそりヘッド２を構成するヘッドケース１２と、ヘッドケース１２に着脱可能に装着される外刃ホルダー１３とで、毛屑を収容する毛屑室Ｒが区画されている。
【００２２】
クリーニング装置は、ベース１５と、ベース１５に対して昇降変位できるハウジング１６と、ハウジング１６の後部中央に立設されて、倒立姿勢の電気かみそりを受け止める定位ポスト１７と、定位ポスト１７で出没可能に案内支持される給電アーム１８などを主な外郭体にして構成してある。図４に示すようにハウジング１６は、クリーニング装置の主要部外面を覆うハウジング本体１６Ａと、ハウジング本体１６Ａの内面下部寄りに固定されるハウジングベース１６Ｂとで構成する。ベース１５とハウジングベース１６Ｂとの間にクリーニング液を貯留するタンク１９が配置され、後述するポンプ３６がハウジングベース１６Ｂに組み付けてある。図２において符号２０はタンク１９内の液位を視認するための覗き窓である。
【００２３】
ハウジング本体１６Ａの上部中央には、電気かみそりを洗浄姿勢で固定保持する装填部２１が凹み形成され、その下端に連続してかみそりヘッド２を受け入れるヘッドシンク２２が設けてある。ハウジング本体１６Ａの前面肩部に設けた制御パネルには、運転モードを選定するためのセレクトボタン２３と、充電開始用の充電ボタン２４と、洗浄、乾燥、充電の各状態と、リセット状態であることを表示するＬＥＤ表示部２５などが設けてある。
【００２４】
図３および図４に示すように、電気かみそりは、その背面が定位ポスト１７と対向する倒立姿勢で装填部２１に差し込み装着されて、本体部１の前後面の３箇所が装填部２１とヘッドシンク２２で受け止め保持され、さらに給電用のプラグ１１の近傍の背部が、定位ポスト１７の上部に突設した保持突起２６で位置決め保持される。装填部２１、およびヘッドシンク２２における本体部１の受け止め部分を符号２７で示す。ヘッドシンク２２の前面中央には、洗浄後のかみそりヘッド２に乾燥風を送給する軸流式の送風ファン２９が配置してある。なお、本発明における装填部２１とは、ヘッドシンク２２と、倒立姿勢で装填される電気かみそりを支持するための定位ポスト１７を含む概念である。
【００２５】
上記のように、電気かみそりを装填部２１に装着した状態では、かみそりヘッド２がヘッドシンク２２の内部に宙吊り状態で支持されている。この状態のかみそりヘッド２の内部にクリーニング液を直接供給して洗浄を行うために、図４および図５に示すように、タンク１９内部にポンプユニット３１を配置し、ヘッドシンク２２の傾斜底壁にノズル３２を設けている。また、ノズル３２と対向するかみそりヘッド２の周囲壁の左右に受液開口３３と補助開口３４を形成し、各開口３３・３４をスライド可能なシャッター３５で開閉できるようにしている。ポンプユニット３１はハウジングベース１６Ｂに固定してあり、その内部には遠心ポンプ（ポンプ）３６と、遠心ポンプ３６を回転駆動するモーター３７が組み込んである。遠心ポンプ３６の縦向きの出口通路３８と、傾斜配置されるノズル３２とは、横向きの通路３９を介して接続してある。符号４０は遠心ポンプ３６の吸込口である。
【００２６】
タンク１９は箱形容器状に形成されており、その上面に先のポンプユニット３１を差し込むための給液口４２と、ヘッドシンク２２のドレン管４３に連続する還流管４４を差し込むための還流口４５とが開口してある（図４参照）。還流口４５と上下に対向するタンク１９の内部には、ヘッドシンク２２から流下する毛屑や皮脂を含む洗浄後のクリーニング液をろ過するフィルター４７が配置してある。フィルター４７は、フィルター枠４７ａと、フィルター枠４７ａで断面Ｗ字状に保形されるろ過エレメント４７ｂとで、上向きに開口する容器状に形成してあり、その上開口縁がタンク１９の上壁内面に設けた規制リブ４８で、一定範囲内に限って前後遊動できるように位置保持されている。タンク１９の内部にフィルター４７を設けることにより、遠心ポンプ３６はろ過されたクリーニング液を加圧してノズル３２へ送給できることになる。タンク１９とフィルター４７はカートリッジ化されていて、所定の使用時間が経過するごとに交換される。
【００２７】
タンク１９内のクリーニング液は、ポンプ３６で加圧されてノズル３２へ送給され、受液開口３３に臨むノズル３２の先端のノズル口３２ａから毛屑室Ｒ内へ噴き出し供給される。このとき、クリーニング液とともに外部空気を毛屑室Ｒ内へ誘引して泡立ちを促進し、さらに泡の破裂衝撃で各部にこびりついた毛屑や皮脂を剥離洗浄するために、ノズル３２のノズル口３２ａと受液開口３３との間に、外部空気を毛屑室Ｒの内部へ導入するための通気空間Ｓを確保している（図５参照）。具体的には、受液開口３３の開口面積を、断面が円形のノズル３２のノズル口３２ａの開口面積より充分に大きく設定して、両者３２・３３の間に通気空間Ｓを形成している。
【００２８】
受液開口３３、および補助開口３４は、それぞれ先すぼまりアーチ状に形成されており、シャッター３５も両開口３３・３４と同様に先すぼまりアーチ状に形成してある。シャッター３５の閉じ始端縁には受動突起５２が突設してある。シャッター３５は、その基端に配置した圧縮コイル形のシャッターばね５３で閉じ付勢してある。
【００２９】
電気かみそりの装填部２１への装着動作を利用してシャッター３５を開放操作するために、ノズル３２に隣接して開放突起５５をヘッドシンク２２の内面に突設している。かみそりヘッド２が、ヘンドシンク２２の内面に差し込まれると、シャッター３５の受動突起５２が開放突起５５で受け止められてその位置に保持される。その結果、電気かみそりが各受け止め部分２７で受け止め支持された状態では、シャッター３５はシャッターばね５３の付勢力に抗して開放操作されて、受液開口３３および補助開口３４を開放できる。この開放状態において、ノズル３２のノズル口３２ａは、かみそりヘッド２の常態における外郭線より内側に位置していて、受液開口３３の開口面より毛屑室Ｒの内部に僅かに入り込んでいる（図５参照）。このように、ノズル３２の先端部分をかみそりヘッド２の外郭線より内側に位置させ、さらに受液開口３３の開口縁内の領域に臨ませると、クリーニング液を毛屑室Ｒ内へ確実に噴き出し供給できる。
【００３０】
給電アーム１８は、定位ポスト１７のガイド筒６４で上下スライド自在に支持され、両者間に配置した圧縮コイル形のばね６０で上向きに進出付勢してある。図４に示すように、給電アーム１８の突端下面には、電気かみそりの給電用のプラグ１１に接続されるソケット６１が設けてあり、給電アーム１８を先のばね６０の付勢力に抗して押し下げ操作した状態において、ソケット６１がプラグ１１と電気的に接続できるようになっている。この給電状態をばね６０の付勢力に抗して保持するために、給電アーム１８のアーム筒６３と、定位ポスト１７のガイド筒６４との間に、ロック機構が設けてある。図３に示す状態の給電アーム１８をばね６０の付勢力に抗して押し下げ操作すると、図４に示すロック状態に切り換わり、再度給電アーム１８を押し下げ操作すると、図３に示すロック解除状態に復帰する。ハウジング本体１６Ａの背面には、商用電源を直流電流に変換するアダプターを接続するための給電プラグ６６が配置してあり、アダプターから給電プラグ６６を介して供給される直流電流によって、送風ファン２９、および遠心ポンプ３６を駆動できる。
【００３１】
ハウジング１６の内部に配置したタンク１９を出し入れするために、ハウジング１６を昇降機構で下方の洗浄位置と、上方の退避位置との間で昇降できるようにしている。図１および図６ないし図９において昇降機構は、Ｘ字状に組まれた昇降リンク７１・７１で構成される左右一対のリンク対７０と、ハウジングベース１６Ｂとリンク対７０との間に配置されるリフトばね７２と、ハウジングベース１６Ｂを昇降移動可能に案内する左右一対のガイド枠（ガイド体）７３などで構成する。
【００３２】
各昇降リンク７１・７１の前後中途部は、リンクピン７４で相対揺動可能に連結されており、各昇降リンク７１・７１の前端および後端には、スライドピン７５と連結ピン７６が一体に設けてある。図１に示すように、各昇降リンク７１・７１の連結ピン７６を、ベース１５およびハウジングベース１６Ｂに設けたボス７７に係合連結し、スライドピン７５を、ベース１５の上面、およびハウジングベース１６Ｂの下面に設けたガイド７８で前後スライドのみ可能に案内支持することにより、リンク対７０は前後方向に長く折り畳まれた姿勢と、上下方向に長いリフト姿勢とに変位できる。各姿勢における昇降リンク７１を受け止めて、各リンク７１の傾動限界位置を規定するために、後述するガイド壁８３の基端外側の前後に規制壁７９を設けている。
【００３３】
リフトばね７２は、前後方向に長い引っ張りばねで形成してあり、その前端が昇降リンク７１と一体に設けたばね掛片８０に掛止され、後端がハウジングベース１６Ｂの上面後部に設けたブラケット８１に掛止してある。ばね掛片８０は、ハウジングベース１６Ｂのガイド７８で移行案内される側の昇降リンク７１に形成する。このように、リンク対７０をリフトばね７２で引っ張り付勢することにより、両昇降リンク７１・７１は、図９に示すように上下方向に長いリフト姿勢になるよう常時変位付勢される。
【００３４】
図６および図７に示すように、ベース１５の上面には門形のガイド壁８３が立設してあり、その上縁前部に後述するロック係合爪８８が形成され、上縁後部にガイド枠７３が形成してある。ガイド枠７３は断面Ｌ字状に形成されて、上すぼまり状に形成してある。ハウジングベース１６Ｂには、ガイド枠７３で移行案内されるＬ字状のスライド穴８４と、先のばね掛片８０の前後移動を許す逃げ溝８５と、ロック係合爪８８用の進出口８６とが開口してある。
【００３５】
ハウジング１６を下方の洗浄位置においてにおいてロック保持するために、ベース１５とハウジング１６との間に昇降ロック構造を設けている。昇降ロック機構は、ベース１５のガイド壁８３に設けたロック係合爪８８と、ハウジングベース１６Ｂの上面に前後スライド可能に配置されて、ロック係合爪８８に係脱するロック枠８９と、ロック枠８９をロック係合爪８８と係合する向きに係合付勢するロックばね９０と、ロック枠８９をロックばね９０の付勢力に抗してロック解除操作するロック解除具９１などで構成する。
【００３６】
図８に示すように、ロック枠８９は左右一対のスライド枠９４と、両スライド枠９４の後端どうしを繋ぐ受動枠９５とを一体に備えたコ字状の枠体からなり、両スライド枠９４のそれぞれが、ハウジングベース１６Ｂに設けたガイド壁９６で、上方への遊動が規制された状態の許に前後スライド自在に案内支持されている（図７参照）。スライド枠９４の前部外側面には、先のロック係合爪８８と係合する爪片９７が横向きに突設してある。ロックばね９０は圧縮コイルばねからなり、各スライド枠９４の前端と、ハウジングベース１６Ｂに設けたばね受突起９８との間に介装してある。
【００３７】
ロック解除具９１は、門形の操作枠１０１と、操作枠１０１の上面左右中央に設けられる逆Ｌ字状の操作腕１０２と、操作腕１０２の前端に設けられるロック解除部１０３とを一体に備えたプラスチック成形品からなり、操作枠１０１の後縁をピン１０４で軸支することにより、ロック解除具９１の全体が前後傾動できるよう支持される。ピン１０４は、ハウジングベース１６Ｂに立設したブラケット１０５に固定される。この組み付け状態において、操作枠１０１の下端の操作部１３２はロック枠８９の受動枠９５の後面に接当している。
【００３８】
電気かみそりの洗浄時に、使用者の錯誤や、いたずらなどによってロック解除具９１がロック解除操作されるのを防ぐために、ロック解除部１０３を装填部２１に配置している。さらに具体的には、ヘッドシンク２２の上開口縁に臨む定位ポスト１７の前面に操作窓１０８を開口し、ロック解除部１０３の前面に設けた操作ボタン１０３ａを、操作窓１０８を介して装填部２１に露出させている。電気かみそりのかみそりヘッド２をヘッドシンク２２に装着した状態では、ロック解除部１０３の外面が、電気かみそりの本体部１で覆われるので、ロック解除部１０３を押し込み操作することはできない。
【００３９】
ベース１５に載置されたタンク１９の左右遊動を規制し、同時に上方遊動を規制するために、先のガイド壁８３の基端内側に逆Ｌ字状のガイド段部１１０を形成し、タンク１９の底部左右に形成した張出壁１１１をガイド段部１１０で移行案内している（図７参照）。また、ガイド壁８３の基端前後に設けた上向きのガイド壁１０９もタンク１９の左右遊動を規制している（図９参照）。ガイド壁８３の基端外側のそれぞれには、左右のリンク対７０の外側を覆う遮蔽壁１１２が設けてある（図７および図９参照）。このように遮蔽壁１１２を設けることにより、ハウジング１６を退避位置から洗浄位置に押し下げ操作するとき、交差する昇降リンク７１・７１の間に指先が挟まれるのを防止できる。
【００４０】
電気かみそりを装填部２１から取り外した状態において、ロック解除具９１のロック解除部１０３を押し込み操作すると、ロック枠８９の受動枠９５が操作部１３２によってロックばね９０に抗して図１に向かって左側へスライド操作されるので、爪片９７とロック係合爪８８との係合状態が解除される。ロック解除と同時に、リンク対７０の昇降リンク７１はリフトばね７２でブラケット８１の側へ引き寄せられ、ベース１５で移行案内される昇降リンク７１のスライドピン７５も同方向へスライド変位する。したがって、リンク対７０は前後方向に長く折り畳まれた状態から、図９に示すように上下方向に長いリフト姿勢に変位し、ハウジング１６の全体を退避位置へ押し上げる。
【００４１】
上記のように、ハウジング１６を開放した状態では、ポンプユニット３１、およびヘッドシンク２２のドレン管４３がタンク１９から分離するので、タンク１９をベース１５に対して出し入れできる。タンク１９をベース１５上へ戻したのち、ハウジング本体１６Ａを押し下げ操作すると、昇降リンク７１・７１がリフトばね７２の付勢力に抗して前後へ開く向きに変位し、爪片９７がロック係合爪８８を乗り越えながら、再びロック係合爪８８と係合して、ハウジング１６を洗浄位置に位置保持する。同時にポンプユニット３１およびドレン管４３がタンク１９内に挿入される。
【００４２】
次に、クリーニング装置の運転モードと各運転モードにおける動作について説明する。クリーニング装置は、装填部２１に電気かみそりが適正な姿勢で装填してあること、タンク１９がベース１５上の所定位置に配置してあること、給電アーム１８が接続位置へ押し下げられて、電気かみそりに対して通電できる状態であること、の各条件を満たした状態でのみ作動でき、さらに遠心ポンプ３６を駆動するモーター３７の駆動電流が一定値以上であること、つまりタンク１９内に貯留されたクリーニング液の液位が一定以上であることを連続運転するための条件にしている。
【００４３】
先の各運転条件が満たされているか否かを検知するために、図１０に示すようにヘッドシンク２２の前面一側に第１検知スイッチ１１４を設け、タンク１９の収容空間に臨んで第２検知スイッチ１１５を設け、給電アーム１８の押し下げ状態を検知する第３検知スイッチ１１６を設けている。これらの運転条件が満足された状態で、セレクトボタン２３をオンすると洗浄−乾燥モードとなり、セレクトボタン２３を一定時間内に２回オンすると乾燥モードとなり、セレクトボタン２３を一定時間内に３回オンするとリセット状態になる。また、充電ボタン２４をオンすると充電モードとなる。図１０において、クリーニング装置と電気かみそりとは、電力供給ライン１１９と信号ライン１２０を介して接続されており、クリーニング装置側の制御部１２１からの指令信号によって常開スイッチ１２２をオン状態に切り換えることにより、モーター駆動用、および充電用の電流を供給できる。常開スイッチ１２２を介装するのは、プラグ１１、およびソケット６１の腐食を防止するためである。電気かみそり側の制御部１２３は、ＣＰＵや充電制御ＩＣなどで構成してある。
【００４４】
図１１に示すように、洗浄−乾燥モードにおいては、セレクトボタン２３がオン操作されたのち、ポンプ駆動用のモーター３７が起動され、クリーニング液が毛屑室へと送給されて洗浄が開始される。同時に常開スイッチ９３がオン操作されて電気かみそりのモーター６が起動可能な状態となる。洗浄開始から所定時間が経過する前段過程では、ポンプ駆動用のモーター３７を間欠的に駆動して、クリーニング液の送給と、毛屑室Ｒからのクリーニング液の排出とを交互に行う。前段過程が終了するのと同時に、先のモーター３７を連続駆動してクリーニング液を連続供給し、同時に内刃４およびセンター刃５の内刃を駆動するモーター６を間欠的に駆動しながら洗浄を行って、後段過程へ移行する。間欠駆動時のモーター６、およびモーター３７の起動および停止は、制御部１２１からの指令信号によって制御される。後段過程の開始から一定時間が経過すると、ポンプ駆動用のモーター３７への通電を停止して洗浄モードを終了する。上記のようにポンプ駆動用のモーター３７を間欠的に駆動して、クリーニング液の送給と、かみそりヘッド２内からのクリーニング液の排出とを交互に行うようにすると、洗浄の前段過程で毛屑がかみそりヘッド２内で飛び散るのを防止しながら、洗い流すことができる。前段過程において大雑把に毛屑を排出した後は、内刃４を間欠的に駆動してクリーニング液を撹拌し、内刃４やその周辺に付着した毛屑や皮脂などを強制的に洗い流すことができる。
【００４５】
洗浄モードの終了と同時に送風ファン２９を起動して乾燥モードが開始され、乾燥風をかみそりヘッド２へ向かって吹き付ける。乾燥モードに移行した後も、内刃４およびセンター刃５の内刃は一定時間だけ間欠的に駆動され、以後は完全に停止される。所定時間が経過したら、送風ファン２９への通電を停止して乾燥モードを終了する。この時点で、電気かみそり内部の２次電池８の電圧が、充電完了時の電圧の２０％以上であれば洗浄−乾燥モードを終了し、充電完了時の電圧の２０％未満である場合には自動的に充電モードへ移行し、２次電池８に対する充電が行われる。
【００４６】
乾燥モードは、上記の洗浄モードにおける乾燥モードのみで構成されており、先に説明した逐次動作を同様に行う。充電のみを行う場合に、充電ボタン２４をオン操作する。その場合には、図１２に示すように充電ボタン２４がオン操作されるのと同時に、２次電池８に対する充電が開始され、その電圧が所定値に達した時点で終了する。
【００４７】
洗浄時に毛屑室Ｒ内へ噴き出されたクリーニング液は、内刃４、外刃３、外刃ホルダー１３の内面壁などに衝突し、さらに回転駆動される内刃４によって撹拌されて、毛屑室Ｒ内の各部材に接触して毛屑や皮脂を洗い流す。毛屑室Ｒへは一定量のクリーニング液が送給される。そのため、毛屑室Ｒの内部は、常にろ過されたクリーニング液で占められており、内刃４で撹拌されたクリーニング液は主に外刃３を介してヘッドシンク２２へと排出され、ドレン管４３と還流管４４を介してタンク１９に回収される。このように、毛屑室Ｒにおけるクリーニング液を強制的に入れ替えるようにすると、内刃４や外刃３などから洗い落とされた毛屑や皮脂を、排出されるクリーニング液とともにかみそりヘッド２の外へ効果的に排出できるので、一連のクリーニング作業を短時間で効果的に行える。
【００４８】
洗浄時には、ノズル３２でクリーニング液を送給するのと同時に、外部空気がノズル口３２ａと受液開口３３との間の通気空間Ｓからかみそりヘッド２の内部へ誘引される。誘引された空気は、内刃４によってクリーニング液とともに撹拌され、クリーニング液の泡立ちを促進できる。したがってクリーニング液とその泡とが混在する洗浄状態を維持して洗浄効果を向上できる。さらに泡の破裂衝撃で各部にこびりついた毛屑や皮脂を剥離洗浄して効果的に洗浄できる。
【００４９】
また、かみそりヘッド２に、受液開口３３とは別に補助開口３４を開口すると、外刃３に毛屑などが詰まってクリーニング液を充分に排出できないような場合に、補助開口３４からクリーニング液を排出して、かみそりヘッド２内にクリーニング液が充満するのを回避できる。また、乾燥時には、補助開口３４から乾燥空気を導入してかみそりヘッド２内の空気の入れ替わりを促進して、内刃４やかみそりヘッド内部の壁面などの乾燥を効果的に行える。
【００５０】
上記の実施例では、ロック解除部１０３を装填部２１に臨ませ、装填部２１に装填される電気かみそりでロック解除部１０３の外面を覆うことにより、ロック解除具９１がロック解除操作されるのを阻止するようにしたが、その必要はなく、ロック解除部１０３をハウジング本体１６Ａの周面の任意箇所に配置しながら、電気かみそりの洗浄時に昇降ロック構造がロック解除操作されるのを阻止することができる。
【００５１】
具体的には図１３に示すように、先に説明したロック係合爪８８、ロック枠８９、ロックばね９０、ロック解除具９１と、ロック解除具９１を進出付勢するばね１２９と、ロック解除部１０３のロック解除動作を規制する規制体１３０と、規制体１３０を規制解除する向きに移動付勢するばね１３１などで昇降ロック機構を構成する。ロック解除具９１は丸軸状のプラスチック成形品からなり、その後端にロック解除部１０３を有し、前端にロック枠８９の受動枠９５を移動操作する操作部１３２を備えている。ロック解除具９１の軸部分は、ハウジング本体１６Ａに設けたガイド枠１３３で前後スライド自在に案内支持されて、ロック解除部１０３がハウジング本体１６Ａの後面に開口した操作窓１０８からハウジング外に臨ませてある。
【００５２】
規制体１３０は、縦長のスライド軸１３５と、スライド軸１３５の上端から前向きに突設される受動片１３６とを一体に備えており、スライド軸１３５をガイド枠１３７で上下スライド自在に案内支持することにより、下方の規制姿勢と上方の規制解除姿勢との間を上下スライドできる。ばね１３１は、上側のガイド枠１３７と受動片１３６との間に配置されて、規制体１３０の全体を規制解除する向きに移動付勢する。常態における受動片１３６は、定位ポスト１７の前壁に開口した操作窓１３９から装填部２１に突出されて、想像線で示す規制解除姿勢に保持されている。
【００５３】
電気かみそりを装填部２１に装填すると、本体部１の一部が受動片１３６に接当して規制体１３０をばね１３１の付勢力に抗して押し下げて規制姿勢に切り換える。この姿勢変化によって、スライド軸１３５の下端が受動枠９５の前面に接当して、ロック枠８９の前方移動を規制する。したがって、電気かみそりが装填部２１に装填してある状態では、ロック解除部１０３が押し込み操作されたとしても、ロック枠８９がロック解除方向へ移動することはなく、昇降ロック機構をロック状態に維持し続けることができる。他は先の実施例と同じであるので、同じ部材に同じ符号を付してその説明を省略する。
【００５４】
上記の実施例における給電アーム１８は省略することができる。その場合には定位ポスト１７の前面側にソケット６１を配置し、電気かみそりを装填部２１に装填した状態において、先のソケット６１と電気的に接続されるプラグ１１を本体部１に設ける。ロック枠８９とロック解除具９１は一体に形成し、あるいは一体に連結することができる。ロック枠８９は枠構造とする必要はなく、少なくとも前後いずれかのスライド枠９４を備えた棒状構造体で形成することができる。さらに、ロック枠８９はロック係合爪８８に対して前後スライドして係脱する以外に、揺動変位してロック係合爪８８と係脱できるように構成することができる。
【００５５】
上記の実施例では、毛屑室Ｒ内へノズル３２でクリーニング液を注入して洗浄を行うようにしたが、本発明は、クリーニング液をかみそりヘッド２の表面に連続供給しながら洗浄を行うクリーニング装置や、ヘッドシンク２２に連続送給されるクリーニング液にかみそりヘッド２を浸漬させて洗浄を行うクリーニング装置にも、同様に適用することができる。また、電気かみそりは、装填部２１に対して倒立姿勢で装填する必要はなく、例えばかみそりヘッド２が僅かに下り傾斜する状態で、電気かみそりの全体が横臥する姿勢で装填されるクリーニング装置にも、同様に適用することができる。ポンプユニット３１はタンク１９内部に配置する必要はなく、少なくとも吸込口４０がタンク１９内に配置してあればよい。その場合のポンプ３６およびモーター３７は、例えばハウジングベース１６Ｂの上面に配置できる。
【００５６】
上記の実施例以外に、ポンプ３６は遠心ポンプである必要はなく、ロータリーポンプ、ギヤポンプ、あるいはレシプロポンプであってもよい。内刃４はロータリー方式の内刃駆動構造である必要はなく、本発明は内刃４が往復駆動される形態の電気かみそりにも適用できる。ガイド対７３は、枠体で形成する必要はなく、棒状や管状に形成することができる。リフトばね７２は、ベース１５と、ベース１５に沿って前後移動する昇降リンク７１との間に掛止することができる。実施例で説明したリンク対７０は、前後逆向きに配置することができる。ロック解除具９１は、揺動する１個のレバーで構成する必要はなく、複数個のリンクやレバーを組み合わせて構成することができる。フレキシブルワイヤーを伝動要素にしてロック解除具９１を構成することができる。
【図面の簡単な説明】
【００５７】
【図１】昇降機構を示すクリーニング装置要部の縦断側面図である。
【図２】電気かみそりおよびクリーニング装置の正面図である。
【図３】電気かみそりを装填した状態のクリーニング装置の側面図である。
【図４】電気かみそりを装填した状態のクリーニング装置の縦断側面図である。
【図５】給液構造を示すクリーニング装置要部の縦断側面図である。
【図６】昇降機構の分解側面図である。
【図７】図１におけるＡ−Ａ線断面図である。
【図８】給電アーム用のロック構造を示す横断平面図である。
【図９】昇降機構を示す縦断側面図である。
【図１０】クリーニング装置と電気かみそりの制御概念を示す説明図である。
【図１１】洗浄モードにおける各機器の駆動例を示すタイミングチャートである。
【図１２】充電モード時のタイミングチャートである。
【図１３】昇降ロック構造の別の実施例を示す縦断側面図である。
【符号の説明】
【００５８】
２  かみそりヘッド
１５  ベース
１６  ハウジング
１６Ａ  ハウジング本体
１６Ｂ  ハウジングベース
１９  タンク
２１  装填部
２２  ヘッドシンク
３６  ポンプ
４０  吸込口
４３  ドレン管
７０  リンク対
７１  昇降リンク
７２  リフトばね
７３  ガイド体
８８  ロック係合爪
８９  ロック枠
９０  ロックばね
９１  ロック解除具
１０３  ロック解除部
【図１】
2008301956.tif 000003
【図２】
2008301956.tif 000004
【図３】
2008301956.tif 000005
【図４】
2008301956.tif 000006
【図５】
2008301956.tif 000007
【図６】
2008301956.tif 000008
【図７】
2008301956.tif 000009
【図８】
2008301956.tif 000010
【図９】
2008301956.tif 000011
【図１０】
2008301956.tif 000012
【図１１】
2008301956.tif 000013
【図１２】
2008301956.tif 000014
【図１３】
2008301956.tif 000015